(57)【要約】【課題】本発明は、床下地材なしの実継ぎによる接合木質複合材だけの施工で強度的に十分な二重床用の木質複合材の提供をその課題とする。【解決手段】二重床用の木質複合材１は、木質芯材１ａと、該芯材１ａの上下両面に積層された木質繊維板１ｂ・１ｃとで構成された矩形の部材である。木質芯材１ａの隣接する二辺に雄実２が設けられ、残る二辺に雌実６が形成される。雌実６の下片６ｂの先端６ｆ迄の長さＬ２は、上片６ａの先端６ｅ迄の長さＬ１より大きく形成されている。これにより、下片６ｂ側の方が上片６ａ側より接着長さが大きくなり、この部分の接合力が上・下片１０３ａ・１０３ｂが同じ長さの本実結合に比べて増大する。そのため二重床に上から荷重Ｆが掛かって下方向に接合された木質複合材Ａが撓んだ時、この実継ぎ部分Ｈに前記撓みによる引っ張り応力が加わったとしても、この部分Ｈでの破断が発生するようなことがない。【選択図】図２
2019152050.tif 000002
【特許請求の範囲】
【請求項１】
木質芯材と、該芯材の上下両面に積層された木質繊維板とで構成された矩形の二重床用の木質複合材であって、
前記木質芯材の隣接する二辺に雄実が設けられ、残る二辺に雌実が形成され、
前記雌実の下片の先端迄の長さは、同雌実の上片の先端迄の長さより大きく形成されていることを特徴とする二重床用の木質複合材。
【請求項２】
雄実が形成された辺における木質複合材の下面側において、下面側木質繊維板と木質芯材の一部とが段状に切除されて雌実の下辺が取り付けられる下面段状切除部が形成され、
前記木質複合材の上面側において、上面側木質繊維板と木質芯材の一部が段状に切除されて雌実の上辺が取り付けられる上面段状切除部が形成され、
前記上面段状切除部と下面段状切除部の間に雌実の溝に嵌め込まれる差込凸部が形成され、
前記上片の長さは、雄実の上面段状切除部の切除端から差込凸部の先端までの長さより長く形成され、且つ
下片の長さは、前記下面段状切除部の長さと、前記上片の長さから差込凸部の長さを引いた差分との和より短く形成されていることを特徴とする請求項１に記載の木質複合材。
【請求項３】
２枚の木質複合材の短辺同士を実継ぎして形成した接合木質複合材において、
実継ぎ部分の下面において、隣接する木質複合材の短辺を跨いで補強板が取り付けられていることを特徴とする請求項１又は２に記載の接合木質複合材。
【請求項４】
雌実が設けられた短辺側の下面に、下辺の先端から、支持具の床支持部の取付幅の３／８〜５／８だけ離れた位置を起点とした位置に位置決め部材が設けられていることを特徴とする請求項３に記載の接合木質複合材。
【請求項５】
請求項３又は４に記載の接合木質複合材の四隅に合わせて、床面に立設された複数の支持具と、
前記支持具上に敷設され、隣接する辺同士が実継ぎにされた接合木質複合材とで構成されたことを特徴とする二重床構造。
【発明の詳細な説明】
【技術分野】
【０００１】
本発明は、床下地材なしで二重床を構成できる木質複合材及び該複合材を用いた二重床構造に関する。
【背景技術】
【０００２】
最近、集合住宅やオフィスビルなどの多くの多層階建造物のフリースペースに簡単に囲いをした欧米風のオープンな雰囲気を取り入れたおしゃれな仮設或いは常設の談話スペースや喫茶スペースを設けることが流行している。そのようなスペースの床には外観を損なう配線コードや設備配管などを床下に這わせることで外部に現れないように隠したり、当該スペースに多くの人が出入りする時の足音の階下への遮音ために二重床構造のものが採用されている（特許文献１）。
【先行技術文献】
【特許文献】
【０００３】
【特許文献１】特開２００５−２３２７９６号公報
【発明の概要】
【発明が解決しようとする課題】
【０００４】
このような二重床では、図６のように床下地施工の際には、パーティクルボードのような床下地材１０５を用い、コンクリートスラブのような床面１１０に立設した支持具１２０によってその四隅を支持するようにしている。上記床下地材１０５の長辺（例えば、１，８００ｍｍ）は、短辺（例えば、６００ｍｍ）の３倍の長さを有するので、コーナーごとに支持具１２０を設置するとなると、短辺側においては長辺側の３倍の本数の支持具１２０が設置されることになる。そしてその床下地材１０５の上に更に床仕上げ材１００を敷設して二重床構造としている。床仕上げ材１００の四周には本実加工（或いはピーリング加工やあいじゃくり加工も適用可能）がなされており、実継ぎにて接続されている。
【０００５】
床下地材１０５に用いるパーティクルボードのような基材は、その特性上、床下地材１０５同士の間には１０〜１５ｍｍ程度の隙間１０７を設けることが必須となっている。この隙間１０７が存在するため、床仕上げ材１００としてクッションフロアのような薄い仕上げ材を用いることができない。その結果、従来の二重床は、床下地材１０５と、前記隙間１０７の影響を受けないような厚い床仕上げ材１００の二重構造となるため、二重床全体の厚みが厚くなったり、上記のように床下地施工と床仕上げ施工とを必要とするなど、施工期間やコストの面でも不都合があった。
【０００６】
そこで、図７示すように床下地材１０５を使用せず、一般的な木質フローリングのような床仕上げ材１００を本実継ぎして、床下地材１０５の長辺・短辺とほぼ大きさの１枚の接合床仕上げ材Ｂとし、これを利用して床下地材１０５なしの二重床を構成することも考えられる。この床仕上げ材１００の短辺の長さは、床下地材１０５の短辺の長さと同じであるものの、床仕上げ材１００の長辺の長さは、床下地材１０５の長辺の長さの約１／２であるから支持具１２０の設置間隔を上記のような床下地材１０５の使用時の間隔とすると、本実継ぎの位置Ｈが支持具１２０の間に来る。当然、この部分Ｈには支持具１２０が設けられない。本実加工された雌実１０３は床仕上げ材の端面全長に溝が単に掘られただけのものであり、雌実１０３を構成する上辺１０３ａと下辺１０３ｂは同じ寸法なので、本実加工された雌実１０３に雄実１０１の差込凸部１０１ａを差し込み、この部分Ｈを接着したとしても下記のように強度的な問題がある。
【０００７】
即ち、床下地材なしで実継ぎによる接合床仕上げ材Ｂだけの二重床構造では、二重床施工後に加わる荷重Ｆ（家具を設置した場合の静止荷重や、人の動きによる点荷重）に耐えられず、接合床仕上げ材Ｂ（特に、実継ぎの部分Ｈ）が破損するなどの不具合が発生する恐れがある。なお、この実継ぎ部分Ｈの下に支持具１２０を追加すれば床下地材１０５なしで本実継ぎによる床仕上げ材１００だけの二重床構造でも上記荷重に耐えることができるが、支持具１２０の数が大幅に増えることになりコスト及び施工面で採用することができない。
【０００８】
本発明は、上記従来例の問題点を解決するためになされたもので、床下地材なしの実継ぎによる接合木質複合材（接合床仕上げ材に相当）だけの施工で強度的に十分な二重床用の木質複合材と該複合材を用いた二重床構造の提供をその課題とする。
【課題を解決するための手段】
【０００９】
請求項１に記載の発明は、二重床用の木質複合材１の雌実６に関し、
木質芯材１ａと、該芯材１ａの上下両面に積層された木質繊維板１ｂ・１ｃとで構成された矩形の二重床用の木質複合材１であって、
前記木質芯材１ａの隣接する二辺に雄実２が設けられ、残る二辺に雌実６が形成され、
前記雌実６の下片６ｂの先端６ｆ迄の長さＬ２は、同雌実６の上片６ａの先端６ｅ迄の長さＬ１より大きく形成されていることを特徴とする。
【００１０】
この木質複合材１では、下片６ｂが上片６ａより長く作られているので、隣接した木質複合材１を実継ぎすると下片６ｂ側の方が上片６ａ側より接着長さが大きくなり、この部分の接合力が上・下片１０３ａ・１０３ｂが同じ長さの本実結合に比べて増大する。そのため二重床に上から荷重Ｆが掛かって下方向に接合された木質複合材Ａ（以下、接合木質複合材Ａと言い、下位概念で区別が必要となった場合には、Ａに数字或いはアルファベット小文字を添え字して区別する。）が撓んだ時、この実継ぎ部分Ｈに前記撓みによる引っ張り応力が加わったとしても、この部分Ｈでの破断が発生するようなことがない。
なお、雄実２や雌実６は、木質芯材１ａに設けられており、剛性や靱性を有する木質繊維板１ｂ・１ｃには及んでいないため、特に、雌実６の下片６ｂの一部を構成する木質繊維板１ｃによる雌実６の強度保証を与えることができる。
【００１１】
請求項２は、請求項1に記載の木質複合材１の雄実２と雌実６との接合関係に関し、
雄実２が形成された辺における木質複合材１の下面側において、下面側木質繊維板１ｃと木質芯材１ａの一部とが段状に切除されて雌実６の下辺６ｂが取り付けられる下面段状切除部２ｂが形成され、
前記木質複合材１の上面側において、上面側木質繊維板１ｂと木質芯材１ａの一部が段状に切除されて雌実６の上辺６ａが取り付けられる上面段状切除部２ａが形成され、
前記上面段状切除部２ａと下面段状切除部２ｂの間に雌実６の溝６ｃに嵌め込まれる差込凸部２ｃが形成され、
前記上片６ａの長さＬ１は、雄実２の上面段状切除部２ａの切除端２ｓから差込凸部２ｃの先端２ｅまでの長さＳ１より長く形成され、且つ
下片６ｂの長さＬ２は、前記下面段状切除部２ｂの長さＳ２と、前記上片６ａの長さＬ１から差込凸部２ｃの長さＳ１を引いた差分Ｄとの和より短く形成されていることを特徴とする。
【００１２】
請求項３は、請求項１又は２に記載の２枚の木質複合材１を接合した接合木質複合材Ａに関し、
２枚の木質複合材１の短辺同士を実継ぎして形成した接合木質複合材Ａにおいて、
実継ぎ部分Ｈの下面において、隣接する木質複合材１の短辺を跨いで補強板９が取り付けられていることを特徴とする。
【００１３】
請求項４は、請求項３に記載の接合木質複合材Ａにおいて、
雌実６が設けられた短辺側の下面に、下辺６ｂの先端６ｆから、支持具２０の床支持部２６の取付幅Ｔの３／８〜５／８だけ離れた位置を起点８ａとした位置に位置決め部材８が設けられていることを特徴とする。
【００１４】
実形状が上記のように構成されているので、実継ぎした場合、上片６ａの先端６ｅは上面段状切除部２ａの切除端２ｓに当接することになる。この時、差込凸部２ｃの先端２ｅは雌実６の溝底６ｄから接触又は離間し、下片６ｂの先端６ｆは下面段状切除部２ｂの切除端２ｆ接触又は離間することになる。
それ故、上記のように上から荷重Ｆが掛かり、接合木質複合材Ａが下向きに撓もうとした時、その上面側では接合木質複合材Ａを構成する木質複合材１の剛性が高く圧縮に対して高い耐性を持つ木質繊維板１ｂ同士が実継ぎ部分において当接して変形せず、木質複合材１の下面側では同様に剛性や靱性が高い木質繊維板１ｂ製の下辺６ｂが引っ張りに対して高い耐性を示すことになって下向きの撓みが規制されだけでなく、この部分Ｈの破断が回避される。
【００１５】
また、実継ぎ部分Ｈの下面において、隣接する木質複合材１の短辺を跨いで補強板９が取り付けられておれば、下辺６ｂの更なる補強がなされ、該部分Ｈの破損を回避できる。
また、上記部分に位置決め部材８が設けられておれば、該雄実２側の短辺が取り付けられる支持具２０の床支持部２６の端部に上記位置決め部材８を突き当てて敷設すれば、実継ぎ部分Ｈが支持具２０の床支持部２６のほぼ中央に位置することになり、正確な二重床施工をより簡単に行える。
【００１６】
請求項５は、請求項３又は４に記載の二重床用の接合木質複合材Ａを用いた二重床構造で、
請求項３又は４に記載の接合木質複合材Ａの四隅に合わせて、床面１１に立設された複数の支持具２０と、
前記支持具２０上に敷設され、隣接する辺同士が実継ぎにされた接合木質複合材Ａとで構成されたことを特徴とする。
【発明の効果】
【００１７】
本発明の二重床用の木質複合材は上記のような実形状を有しているので、床下地材なしでも実継ぎだけによる接合木質複合材だけの施工で強度的に十分な二重床を構築できる。
【図面の簡単な説明】
【００１８】
【図１】本発明の二重床構造の平面図である。
【図２】図１の断面図である。
【図３】図２の支持具にビス止めされた実継ぎ部分の拡大断面図である。
【図４】図２の補強板が取り付けられた実継ぎ部分の拡大断面図である。
【図５】本発明の他の二重床構造の平面図である。
【図６】従来例１の断面図である。
【図７】従来例２の実継ぎ部分の部分断面図である。
【発明を実施するための形態】
【００１９】
以下、本発明を図示実施例に従って詳述する。二重床用の木質複合材１は、木質芯材１ａと、該木質芯材１ａの上下両面に接着により一体的に積層された木質繊維板１ｂ・１ｃとで構成された矩形（図示の実施例では長方形であるが、正方形でもよい。）の板材である。本実施例では木質複合材１は、長方形で短辺対長辺の比は、１対１．５である。そして、木質複合材１の短辺の長さは、床下地材１０５の短辺と同じ長さであり、その長辺側の長さＷは、従来使用されていた床下地材１０５の長辺の長さＹより小さい。即ち、木質複合材１の長辺の長さＷは、床下地材１０５の長辺の長さＹの１／２である。
【００２０】
実際の寸法を例に取れば、従来使用されていた床下地材１０５の短辺の長さは６００ｍｍ、長辺の長さは１，８００ｍｍであり、本発明の木質複合材１は、短辺の長さは６００ｍｍ、長辺の長さは１９００ｍｍという事になる。
【００２１】
木質芯材１ａとしては、強度が大で方向性を持たない合板、配向性ストランドボード／ＯＳＢ、或いは単板積層材／ＬＶＬ（ラミネーティッド・ベニア・ランバー）などが使用される。板厚は、例えば９〜２４ｍｍであり、更に好ましくは、１２〜１５ｍｍである。
木質繊維板１ｂ・１ｃとしては、剛性と靭性を備える素材、例えば、木質繊維を原料とする成形板の一種である中密度繊維板が使用される。板厚は、例えば２．５〜４・０ｍｍで、更に好ましくは、２．５〜４．０ｍｍである。
【００２２】
この木質複合材１の木質芯材１ａには、その隣接する二辺に雄実２が全長にわたって設けられ、残る二辺に雌実６が全長にわたって形成されている。換言すれば、雌実６の溝６ｃは木質芯材１ａだけに形成され、木質繊維板１ｂ・１ｃに及ばない。
この雌実６の下片６ｂの長さＬ２は、溝６ｃの溝底６ｄからその先端６ｆ迄の長さであり、上片６ａの長さＬ１は、溝６ｃの溝底６ｄからその先端６ｅ迄の長さである。そして、下片６ｂの長さＬ２は、上片６ａの長さＬ１より大きく形成されている。本実施例では、長さＬ２は、長さＬ１の１．５倍から２．５倍程度である。そして上記下片６ｂの上片６ａより突出している部分で、下片６ｂの上面にビス打ち込み用の窪み６ｋが形成されている。本発明の実部分の幅をＺで示す。該窪み６ｋは下片６ｂの上面の全長にわたって一定間隔で設けてもよいし、後述する支持具２０の床支持部２６に合致するように木質複合材１のコーナー部における下片６ｂの上面に設けてもよい。
【００２３】
雄実２は、雄実２が形成された辺における木質複合材１の下面側において、下面側木質繊維板１ｃと木質芯材１ａの一部が段状に切除されて下面段状切除部２ｂが形成されている。同様に木質複合材１の上面側において、上面側木質繊維板１ｂと木質芯材１ａの一部が段状に切除されて上面段状切除部２ａが形成されている。前記上面段状切除部２ａと下面段状切除部２ｂの間には前記雌実６の溝６ｃに嵌め込まれる、差込凸部２ｃが木質芯材１ａの切残し部分で形成されている。
【００２４】
上面段状切除部２ａの長さＳ１は、差込凸部２ｃの先端２ｅから切除端２ｓまでの長さである。同様に、下面段状切除部２ｂの長さＳ２は、差込凸部２ｃの先端２ｅから切除端２ｆまでの長さである。下面段状切除部２ｂの長さＳ２は、上面段状切除部２ａの長さＳ１より長く形成され、雌実６の下片６ｂが嵌め込まれて接着される大きさに形成される。
【００２５】
雄実２と雌実６との結合関係は、実継ぎ部分Ｈの強度に大きく関係し、前記上片６ａの長さＬ１は、雄実２の上面段状切除部２ａの切除端２ｓから差込凸部２ｃの先端２ｅまでの長さＳ１より長く形成され、且つ下片６ｂの長さＬ２は、前記下面段状切除部２ｂの長さＳ２と、前記上片６ａの長さＬ１から差込凸部２ｃの長さＳ１を引いた差分Ｄとの和より短く形成されている。雄実２と雌実６との結合状態は後述する。
【００２６】
支持具２０は周知の構造を持つ建築部材で、建物の床面１１に接着固定される板状の設置部２２と、設置部２２に立設された支柱２４、及び支柱２４の上端に設けられた円形或いは矩形（ここでは正方形）の床支持部２６とで構成されている。支柱２４は円筒状で内面に雌ねじが刻設されている鞘部２４ａと、この鞘部２４ａの雌ねじに螺進・退可能に螺入され、且つ設置部２２に対して回転可能に立設されている支柱ねじ２４ｂとで構成されている。前記鞘部２４ａは床支持部２６の下面から垂設されている。床支持部２６には、図示しないドライバ孔が穿設されており、ドライバ孔を通して支柱ねじ２４ｂを回転させ、床支持部２６の高さ調整ができるようになっている。
【００２７】
次に、二重床を構築する手順について説明する。木質複合材１の寸法は上記に限定されないが、ここでは理解を簡単にするために上記のような寸法を用いる。
本発明で使用される木質複合材１は、長方形でその長辺の長さＷは、従来例で使用された床下地材１０５の長辺の１／２の長さとする。本発明の木質複合材１の短辺は床下地材１０５の短辺と同じ長さである。
そして二枚の木質複合材１を使用し、その短辺同士を接着剤を用いて実継ぎし、従来の床下地材１０５と同じ大きさとする。この接合された２枚の木質複合材１を接合木質複合材Ａとする。既に述べたように、接合木質複合材Ａを区別する必要がある場合は、Ａにアラビア数字、或いはアルファベット小文字を付加する。
【００２８】
上記接合木質複合材Ａの下面において、短辺の実継ぎ部分Ｈの全長にわたって補強板９を貼り付ける。接合木質複合材Ａの下面に表れる実継ぎ部分Ｈの接合ライン７と補強板９の中心を一致させ、接合ライン７を中心として補強板９の左右の接着幅を等しくするように接着する。なお、補強板９の幅は実継ぎ部分Ｈをカバーできる大きさとすることが強度向上の上で好ましい。なお、補強板９の材質は、木質繊維板が好ましい。
【００２９】
続いて、接合木質複合材Ａの下面において、接合木質複合材Ａの雌実６側の短辺（下片６ｂの先端６ｆ）から所定寸法だけ離間させ、且つ該短辺に平行にて位置決め部材８を接着する。離間幅は支持具２０の床支持部２６の取付幅Ｔの３／８〜５／８（好ましくは、取付幅Ｔの１／２）だけ離れた位置に位置決め部材８が設けられる。換言すれば、上記同様、接合木質複合材Ａの下面に表れる実継ぎ部分Ｈの接合ライン７と床支持部２６の中心を一致させ、接合ライン７を中心として床支持部２６の左右の取付幅を等しくするようにするのが好ましい。なお、床支持部２６の幅Ｔは実継ぎ部分Ｈをカバーできる大きさとすることが強度向上の上で好ましい。また、位置決め部材８の接着は、接合木質複合材Ａの下面の支持具２０の取付部分である接合木質複合材Ａのコーナー部分或いは雄実２側の短辺全長にわたって設けられる。図の例は後者である。
【００３０】
次に、従来の床下地材１０５とほぼ同じ寸法である、接合木質複合材Ａの寸法に合わせて支持具２０を床面１１に設置する。この場合、接合木質複合材Ａの長辺方向では寸法Ｙ、短辺方向では（１／３）・Ｙである。設置部２２は床面１１に接着固定される。続いて支柱ねじ２４ｂを回して床支持部２６の高さを調整し、最後に接合木質複合材Ａを床支持部２６上に順次敷設することになる。
【００３１】
接合木質複合材Ａの床支持部２６上への敷設にあたって、１枚目の接合木質複合材Ａ１の四隅を、対応するそれぞれ床支持部２６上に設置する。この時、位置決め部材８を床支持部２６の側面に当接させて位置決め部材８側の短辺が床支持部２６の１／２を占めるように設置する。換言すれば、雌実６の下片６ｂの先端６ｆが出来る限り床支持部２６の中央に位置するようにする。このように正確に位置決めした後、１枚目の接合木質複合材Ａ１の雌実６の下辺６ｂの前後コーナー部分の窪み６ｋを目印に、該下辺６ｂを床支持部２６にビス２８にて固定する。
【００３２】
この状態で２枚目の接合木質複合材Ａ２の長辺を、ビス止めされた１枚目の接合木質複合材Ａ１の長辺に沿って配設し、且つ上記のように位置決めを行いつつ長辺において実継ぎ行う。そして２枚目の接合木質複合材Ａ２の雌実６の下辺６ｂを上記のようにビス止する。このようにして次々と長辺側の接合を行い、１行目の接合が終了すると２行目に移る。
【００３３】
既に固定された、接合木質複合材Ａ１のビス固定されている雌実６に２行目の接合木質複合材Ａｍの雄実２を差し込んで実継ぎし、反対側の雌実６の下辺６ｂを上記同様支持具２０の床支持部２６にビス固定する。２行目の２番目の接合状態の木質複合材Ａｎでは長短二辺の雄実２に対応する接合木質複合材Ａ１・Ａｍが既に敷設されてビス固定されているので、この接合木質複合材Ａｎの実継ぎは、既に敷設されている接合木質複合材Ａ１・Ａｍの雌実６方向から前記接合木質複合材Ａｎの雄実２を差し込み、実接合した後、その雌実６の下辺６ｂを上記に準じてビス止めする。これを繰り返して二重床を構築する。実接合部分は接着剤により接着される。
【００３４】
最後に接合木質複合材Ａの実接合により形成された二重床の四周の空きスペースに、木質複合材１を必要幅で切断した仕舞部材１ｘを張り巡らせ、二重床と床面１１との間の床下部分を隠す板材１ｙを取り付け、必要に応じて接合木質複合材Ａの上にタイルカーペットやフローリングなどの床材１０を敷設して二重床の構築を終了する。
【００３５】
このようにして二重床の構築が終了すると、その上にテーブルや椅子、その他の家具を設置し、更に二重床の下に配管や配線を設置する。そして設置が終了するとオープンし、人の受け入れを行う。人が訪れると二重床の上を歩行することになり、二重床には家具の静的荷重や人の移動による動的荷重が加わり、接合木質複合材Ａを下向きに撓ませる方向の力が絶えず加わる。この時、接合木質複合材Ａの中央部分に位置する実継ぎ部分Ｈに最大の撓みが発生するが、（ａ）実継ぎ部分Ｈにおける雌実６の下辺６ｂはその上辺６ａにより長く、実継ぎ部分Ｈにおける接合力は従来の本実接合に比べて十分に大きいこと、（ｂ）実継ぎ部分Ｈの下面に補強板９が張り付けられていること、（ｃ）雄実２の差込凸部２ｃ、及び雌実６の溝６ｃが合板などで形成された木質芯材１ａに限定され、剛性と靱性を備えた木質繊維板１ｂ・１ｃに及んでいないこと、から上記のように従来の床下地材１０５と同じスパンで支持具２０を設置したとしても二重床を構成する接合状態の木質複合材Ａが破断するようなことはない。
【００３６】
図５は４枚の木質複合材１を縦継ぎと横継ぎで接合した接合木質複合材Ａで、実接合部分の下面には縦・横全長にわたって補強板９が設けられている。位置決め部材８も同様の位置に隣接して長辺が接合された２枚の木質複合材１に取り付けられている。この場合、長辺を接合した２枚の木質複合材１の短辺の和は、１枚の木質複合材１の長辺Ｗの長さより長いが、縦継ぎした２枚の木質複合材１の長さＹより短いので、この４枚の木質複合材１を縦継ぎと横継ぎで接合した接合木質複合材Ａを用いて二重床を形成した場合、上記長辺を接合した２枚の木質複合材１の短辺の中間部分の支持具２０を省略することが出来る。それ以外の点は、図１の実施例と同じである。
ただし、本二重床構造を設置する際の要求性能や、配管・配線等の床下側の条件や、室内側の配置物（洗濯機等の重量物の設置スペースに該当するのが判明しているなど）の設置条件によっては、支持具２０の本数を増やして施工することを妨げるものではない。
【符号の説明】
【００３７】
Ａ（Ａ１〜Ａｎ）：接合木質複合材、Ｆ：荷重、Ｈ：実継ぎ部分、Ｄ：差分、Ｌ１：上片の長さ、Ｌ２：下片の長さ、Ｓ１：上面段状切除部の長さ、Ｓ２：下面段状切除部の長さ、Ｔ：床支持部の幅、Ｗ：木質複合材の長さ、Ｙ：接合木質複合材の長さ、Ｚ：本発明に係る実の長さ、１：木質複合材、１ａ：木質芯材、１ｂ：上面側木質繊維板、１ｃ：下面側木質繊維板、１ｘ：仕舞部材、１ｙ：板材、２：雄実、２ａ：上面段状切除部、２ｂ：下面段状切除部、２ｃ：差込凸部、２ｅ：差込凸部の先端、２ｓ：上面段状切除部の切除端、２ｆ：下面段状切除部の切除端、６：雌実、６ａ：上片、６ｂ：下片、６ｃ：溝、６ｄ：溝底、６ｋ：窪み、７：接合ライン、８：位置決め部材、８ａ：起点、９：補強板、１０：床材、１１：床面、２０：支持具、２２：設置部、２４：支柱、２４ａ：鞘部、２４ｂ：支柱ねじ、２６：床支持部、２８：ビス、１００：従来の床仕上げ材、１０１：本実の雄実、１０１ａ：本実の差込凸部、１０３：本実の雌実、１０３ａ：上辺、１０３ｂ：下辺、１０５：床下地材、１０７：隙間、１１０：床面、１２０：支持具、１２２：設置部、１２４支柱、１２６：床支持部
【図１】
2019152050.tif 000003
【図２】
2019152050.tif 000004
【図３】
2019152050.tif 000005
【図４】
2019152050.tif 000006
【図５】
2019152050.tif 000007
【図６】
2019152050.tif 000008
【図７】
2019152050.tif 000009
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
木質芯材と、該芯材の上下両面に積層された木質繊維板とで構成され、前記木質芯材の隣接する二辺に雄実が設けられ、残る二辺に雌実が形成され、前記雌実の下片の先端迄の長さは、同雌実の上片の先端迄の長さより大きく形成された二重床用の２枚の木質複合材を用い、両木質複合材の短辺同士を実継ぎして形成され、その四隅だけが支持具の取付部分となっている接合木質複合材において、
実継ぎ部分の下面において、隣接する木質複合材の短辺を跨ぎ、前記実継ぎ部分をカバーする幅を有する補強板が接着されていることを特徴とする接合木質複合材。
【請求項２】
雄実が形成された辺における木質複合材の下面側において、下面側木質繊維板と木質芯材の一部とが段状に切除されて雌実の下片が取り付けられる下面段状切除部が形成され、
前記木質複合材の上面側において、上面側木質繊維板と木質芯材の一部が段状に切除されて雌実の上片が取り付けられる上面段状切除部が形成され、
前記上面段状切除部と下面段状切除部の間に雌実の溝に嵌め込まれる差込凸部が形成され、前記上片の長さは、雄実の上面段状切除部の切除端から差込凸部の先端までの長さより長く形成され、且つ
前記雌実の前記溝の溝底からその先端迄の長さである下片の長さは、前記差込凸部の先端から切除端までの長さである前記下面段状切除部の長さと、前記溝の前記溝底からその先端迄の長さである前記上片の長さから、前記差込凸部の先端から切除端までの長さである差込凸部の長さを引いた差分との和より短く形成されていることを特徴とする請求項１に記載の接合木質複合材。
【請求項３】
雌実が設けられた短辺側の下面に、下片の先端から、支持具の床支持部の取付幅の３／８〜５／８だけ離れた位置を起点とした位置に位置決め部材が設けられていることを特徴とする請求項２に記載の接合木質複合材。
【請求項４】
請求項１〜３のいずれかに記載の接合木質複合材の四隅に合わせて、床面に立設された複数の支持具と、
前記支持具上に敷設され、隣接する辺同士が実継ぎされた接合木質複合材とで構成されたことを特徴とする二重床構造。
【手続補正３】
【補正対象書類名】明細書
【補正対象項目名】０００１
【補正方法】変更
【補正の内容】
【０００１】
本発明は、床下地なしで二重床を構成できる接合木質複合材及び該複合材を用いた二重床構造に関する。
【手続補正４】
【補正対象書類名】明細書
【補正対象項目名】０００６
【補正方法】変更
【補正の内容】
【０００６】
そこで、図７示すように床下地材１０５を使用せず、一般的な木質フローリングのような床仕上げ材１００を本実継ぎして、床下地材１０５の長辺・短辺とほぼ大きさの１枚の接合床仕上げ材Ｂとし、これを利用して床下地材１０５なしの二重床を構成することも考えられる。この床仕上げ材１００の短辺の長さは、床下地材１０５の短辺の長さと同じであるものの、床仕上げ材１００の長辺の長さは、床下地材１０５の長辺の長さの約１／２であるから支持具１２０の設置間隔を上記のような床下地材１０５の使用時の間隔とすると、本実継ぎの位置Ｈが支持具１２０の間に来る。当然、この部分Ｈには支持具１２０が設けられない。本実加工された雌実１０３は床仕上げ材の端面全長に溝が単に掘られただけのものであり、雌実１０３を構成する上片１０３ａと下片１０３ｂは同じ寸法なので、本実加工された雌実１０３に雄実１０１の差込凸部１０１ａを差し込み、この部分Ｈを接着したとしても下記のように強度的な問題がある。
【手続補正５】
【補正対象書類名】明細書
【補正対象項目名】０００８
【補正方法】変更
【補正の内容】
【０００８】
本発明は、上記従来例の問題点を解決するためになされたもので、床下地材なしの実継ぎによる接合木質複合材（接合床仕上げ材に相当）と、前記接合木質複合材だけの施工で強度的に十分な二重床構造の提供をその課題とする。
【手続補正６】
【補正対象書類名】明細書
【補正対象項目名】０００９
【補正方法】変更
【補正の内容】
【０００９】
請求項１に記載の発明は、
木質芯材１ａと、該芯材１ａの上下両面に積層された木質繊維板１ｂ・１ｃとで構成され、前記木質芯材１ａの隣接する二辺に雄実２が設けられ、残る二辺に雌実６が形成され、前記雌実６の下片６ｂの先端６ｆ迄の長さＬ２は、同雌実６の上片６ａの先端６ｅ迄の長さＬ１より大きく形成された二重床用の２枚の木質複合材１を用い、両木質複合材１の短辺同士を実継ぎして形成され、その四隅だけが支持具２０の取付部分となっている接合木質複合材Ａにおいて、
実継ぎ部分Ｈの下面において、隣接する木質複合材１の短辺を跨ぎ、前記実継ぎ部分Ｈをカバーする幅を有する補強板９が接着されていることを特徴とする。
【手続補正７】
【補正対象書類名】明細書
【補正対象項目名】００１１
【補正方法】変更
【補正の内容】
【００１１】
請求項２は、請求項１に記載の木質複合材１の雄実２と雌実６との接合関係に関し、
雄実２が形成された辺における木質複合材１の下面側において、下面側木質繊維板１ｃと木質芯材１ａの一部とが段状に切除されて雌実６の下片６ｂが取り付けられる下面段状切除部２ｂが形成され、
前記木質複合材１の上面側において、上面側木質繊維板１ｂと木質芯材１ａの一部が段状に切除されて雌実６の上片６ａが取り付けられる上面段状切除部２ａが形成され、
前記上面段状切除部２ａと下面段状切除部２ｂの間に雌実６の溝６ｃに嵌め込まれる差込凸部２ｃが形成され、
前記上片６ａの長さＬ１は、雄実２の上面段状切除部２ａの切除端２ｓから差込凸部２ｃの先端２ｅまでの長さＳ１より長く形成され、且つ
前記雌実６の前記溝６ｃの溝底６ｄからその先端６ｆ迄の長さである下片６ｂの長さＬ２は、前記差込凸部２ｃの先端２ｅから切除端２ｆまでの長さである前記下面段状切除部２ｂの長さＳ２と、前記溝６ｃの前記溝底６ｄからその先端６ｅ迄の長さである前記上片６ａの長さＬ１から、前記差込凸部２ｃの先端２ｅから切除端２ｓまでの長さである差込凸部２ｃの長さＳ１を引いた差分Ｄとの和より短く形成されていることを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項３は、請求項１又は２に記載の接合木質複合材Ａにおいて、
雌実６が設けられた短辺側の下面に、下片６ｂの先端６ｆから、支持具２０の床支持部２６の取付幅Ｔの３／８〜５／８だけ離れた位置を起点８ａとした位置に位置決め部材８が設けられていることを特徴とする。
【手続補正１０】
【補正対象書類名】明細書
【補正対象項目名】００１４
【補正方法】変更
【補正の内容】
【００１４】
実形状が上記のように構成されているので、実継ぎした場合、上片６ａの先端６ｅは上面段状切除部２ａの切除端２ｓに当接することになる。この時、差込凸部２ｃの先端２ｅは雌実６の溝底６ｄから接触又は離間し、下片６ｂの先端６ｆは下面段状切除部２ｂの切除端２ｆ接触又は離間することになる。
それ故、上記のように上から荷重Ｆが掛かり、接合木質複合材Ａが下向きに撓もうとした時、その上面側では接合木質複合材Ａを構成する木質複合材１の剛性が高く圧縮に対して高い耐性を持つ木質繊維板１ｂ同士が実継ぎ部分において当接して変形せず、木質複合材１の下面側では同様に剛性や靱性が高い木質繊維板１ｂ製の下片６ｂが引っ張りに対して高い耐性を示すことになって下向きの撓みが規制されだけでなく、この部分Ｈの破断が回避される。
【手続補正１１】
【補正対象書類名】明細書
【補正対象項目名】００１５
【補正方法】変更
【補正の内容】
【００１５】
また、実継ぎ部分Ｈの下面において、隣接する木質複合材１の短辺を跨いで補強板９が取り付けられておれば、下片６ｂの更なる補強がなされ、該部分Ｈの破損を回避できる。
また、上記部分に位置決め部材８が設けられておれば、該雄実２側の短辺が取り付けられる支持具２０の床支持部２６の端部に上記位置決め部材８を突き当てて敷設すれば、実継ぎ部分Ｈが支持具２０の床支持部２６のほぼ中央に位置することになり、正確な二重床施工をより簡単に行える。
【手続補正１２】
【補正対象書類名】明細書
【補正対象項目名】００１６
【補正方法】変更
【補正の内容】
【００１６】
請求項４は、請求項１〜３のいずれかに記載の二重床用の接合木質複合材Ａを用いた二重床構造で、
請求項１〜３のいずれかに記載の接合木質複合材Ａの四隅に合わせて、床面１１に立設された複数の支持具２０と、
前記支持具２０上に敷設され、隣接する辺同士が実継ぎにされた接合木質複合材Ａとで構成されたことを特徴とする。
【手続補正１３】
【補正対象書類名】明細書
【補正対象項目名】００３１
【補正方法】変更
【補正の内容】
【００３１】
接合木質複合材Ａの床支持部２６上への敷設にあたって、１枚目の接合木質複合材Ａ１の四隅を、対応するそれぞれ床支持部２６上に設置する。この時、位置決め部材８を床支持部２６の側面に当接させて位置決め部材８側の短辺が床支持部２６の１／２を占めるように設置する。換言すれば、雌実６の下片６ｂの先端６ｆが出来る限り床支持部２６の中央に位置するようにする。このように正確に位置決めした後、１枚目の接合木質複合材Ａ１の雌実６の下片６ｂの前後コーナー部分の窪み６ｋを目印に、該下片６ｂを床支持部２６にビス２８にて固定する。
【手続補正１４】
【補正対象書類名】明細書
【補正対象項目名】００３２
【補正方法】変更
【補正の内容】
【００３２】
この状態で２枚目の接合木質複合材Ａ２の長辺を、ビス止めされた１枚目の接合木質複合材Ａ１の長辺に沿って配設し、且つ上記のように位置決めを行いつつ長辺において実継ぎ行う。そして２枚目の接合木質複合材Ａ２の雌実６の下片６ｂを上記のようにビス止する。このようにして次々と長辺側の接合を行い、１行目の接合が終了すると２行目に移る。
【手続補正１５】
【補正対象書類名】明細書
【補正対象項目名】００３３
【補正方法】変更
【補正の内容】
【００３３】
既に固定された、接合木質複合材Ａ１のビス固定されている雌実６に２行目の接合木質複合材Ａｍの雄実２を差し込んで実継ぎし、反対側の雌実６の下片６ｂを上記同様支持具２０の床支持部２６にビス固定する。２行目の２番目の接合状態の木質複合材Ａｎでは長短二辺の雄実２に対応する接合木質複合材Ａ１・Ａｍが既に敷設されてビス固定されているので、この接合木質複合材Ａｎの実継ぎは、既に敷設されている接合木質複合材Ａ１・Ａｍの雌実６方向から前記接合木質複合材Ａｎの雄実２を差し込み、実接合合した後、その雌実６の下片６ｂを上記に準じてビス止めする。これを繰り返して二重床を構築する。実接合部分は接着剤により接着される。
【手続補正１６】
【補正対象書類名】明細書
【補正対象項目名】００３５
【補正方法】変更
【補正の内容】
【００３５】
このようにして二重床の構築が終了すると、その上にテーブルや椅子、その他の家具を設置し、更に二重床の下に配管や配線を設置する。そして設置が終了するとオープンし、人の受け入れを行う。人が訪れると二重床の上を歩行することになり、二重床には家具の静的荷重や人の移動による動的荷重が加わり、接合木質複合材Ａを下向きに撓ませる方向の力が絶えず加わる。この時、接合木質複合材Ａの中央部分に位置する実継ぎ部分Ｈに最大の撓みが発生するが、（ａ）実継ぎ部分Ｈにおける雌実６の下片６ｂはその上片６ａにより長く、実継ぎ部分Ｈにおける接合力は従来の本実接合に比べて十分に大きいこと、（ｂ）実継ぎ部分Ｈの下面に補強板９が張り付けられていること、（ｃ）雄実２の差込凸部２ｃ、及び雌実６の溝６ｃが合板などで形成された木質芯材１ａに限定され、剛性と靱性を備えた木質繊維板１ｂ・１ｃに及んでいないこと、から上記のように従来の床下地材１０５と同じスパンで支持具２０を設置したとしても二重床を構成する接合状態の木質複合材Ａが破断するようなことはない。
【手続補正１７】
【補正対象書類名】明細書
【補正対象項目名】００３７
【補正方法】変更
【補正の内容】
【００３７】
Ａ（Ａ１〜Ａｎ）：接合木質複合材、Ｆ：荷重、Ｈ：実継ぎ部分、Ｄ：差分、Ｌ１：上片の長さ、Ｌ２：下片の長さ、Ｓ１：上面段状切除部の長さ、Ｓ２：下面段状切除部の長さ、Ｔ：床支持部の幅、Ｗ：木質複合材の長さ、Ｙ：接合木質複合材の長さ、Ｚ：本発明に係る実の長さ、１：木質複合材、１ａ：木質芯材、１ｂ：上面側木質繊維板、１ｃ：下面側木質繊維板、１ｘ：仕舞部材、１ｙ：板材、２：雄実、２ａ：上面段状切除部、２ｂ：下面段状切除部、２ｃ：差込凸部、２ｅ：差込凸部の先端、２ｓ：上面段状切除部の切除端、２ｆ：下面段状切除部の切除端、６：雌実、６ａ：上片、６ｂ：下片、６ｃ：溝、６ｄ：溝底、６ｋ：窪み、７：接合ライン、８：位置決め部材、８ａ：起点、９：補強板、１０：床材、１１：床面、２０：支持具、２２：設置部、２４：支柱、２４ａ：鞘部、２４ｂ：支柱ねじ、２６：床支持部、２８：ビス、１００：従来の床仕上げ材、１０１：本実の雄実、１０１ａ：本実の差込凸部、１０３：本実の雌実、１０３ａ：上片、１０３ｂ：下片、１０５：床下地材、１０７：隙間、１１０：床面、１２０：支持具、１２２：設置部、１２４支柱、１２６：床支持部